(57)【要約】【課題】公衆無線ＬＡＮをマーケティングサービスのツールとして利用することにより、公衆無線ＬＡＮの基地局を設置した場所の地理的特性や、利用者の特性等を生かしたマーケティングサービスを行い、通信事業者と公衆無線ＬＡＮの基地局の設置者との新たな収入源となるシステムおよびプログラムを提供する。【解決手段】広告主・代理店４が、マーケティングコンテンツであるコンテンツと、コンテンツの配信条件とを、コンテンツ管理サーバ３１に登録する。コンテンツの配信条件に合致する公衆無線ＬＡＮの基地局である無線ＬＡＮアクセスポイント２０に接続したユーザ端末１０に、マーケティングコンテンツを配信する。広告主・代理店４は、インターネット接続事業者３と契約利用者２とに、コンテンツの配信数に応じて所定のサービス利用料金を支払う。【選択図】  図１
2004280652.tif 000002
【特許請求の範囲】
【請求項１】
情報通信端末に無線通信回線を介して接続可能であり、通信ネットワークおよびインターネット接続業者のサーバを介して前記情報通信端末とインターネットとを接続させる無線アクセスポイントを含むマーケティングコンテンツ配信システムであって、
前記インターネット接続業者のサーバは、マーケティングを促進するためのコンテンツであるマーケティングコンテンツを記憶するとともに、無線アクセスポイントの設置場所に関する情報である属性情報と合致するマーケティングコンテンツを、無線アクセスポイントに送信する
ことを特徴とするマーケティングコンテンツ配信システム。
【請求項２】
インターネット接続業者のサーバは、マーケティングコンテンツを記憶するとともに記憶しているマーケティングコンテンツを無線アクセスポイントに送信するコンテンツ管理サーバと、属性情報を前記コンテンツ管理サーバに送信する認証管理サーバとを含む
請求項１記載のマーケティングコンテンツ配信システム。
【請求項３】
コンテンツ管理サーバに、マーケティングコンテンツと、無線アクセスポイントに送信するマーケティングコンテンツを特定する条件である配信条件情報とを送信するコンテンツ提供端末を備え、
認証管理サーバは複数の無線アクセスポイントのそれぞれに対応する属性情報を記憶し、
前記コンテンツ管理サーバは、情報通信端末が無線アクセスポイントに接続されると、その無線アクセスポイントの属性情報を前記認証管理サーバから受信し、その無線アクセスポイントに、属性情報と合致する配信条件情報のマーケティングコンテンツを送信する
請求項２記載のマーケティングコンテンツ配信システム。
【請求項４】
コンテンツ管理サーバは、所定のタイミングで、マーケティングコンテンツを情報通信端末に送信した回数に基づいてマーケティングコンテンツの提供者に請求する料金であるサービス利用料金の金額を算出し、算出した金額の情報をコンテンツ提供端末に送信する
請求項３記載のマーケティングコンテンツ配信システム。
【請求項５】
認証管理サーバは、コンテンツ管理サーバによる無線アクセスポイントへのマーケティングコンテンツの送信が終了すると、情報通信端末がインターネットを介して任意のＷｅｂサーバに接続可能な状態にする
請求項４記載のマーケティングコンテンツ配信システム。
【請求項６】
マーケティングコンテンツは、情報通信端末の利用者への質問を含み、
前記情報通信端末は前記質問への前記利用者の回答の入力を受け付けて無線アクセスポイントを介してコンテンツ管理サーバに送信し、
前記コンテンツ管理サーバは、前記情報通信端末から前記回答を受信して記憶する
請求項５に記載のマーケティング情報配信システム。
【請求項７】
コンテンツ管理サーバは、所定のタイミングで、利用者への質問の回答を受信した回数に基づいてサービス利用料金の金額を算出し、算出した金額の情報をコンテンツ提供端末に送信する
請求項６に記載のマーケティングコンテンツ配信システム。
【請求項８】
通信ネットワークに接続され、予め各無線アクセスポイントの位置を記憶する位置確認サーバを備え、
前記無線アクセスポイントは、自己の位置を測定して位置情報を生成し、
コンテンツ管理サーバは、所定のタイミングで前記位置情報を読み出し、前記位置確認サーバが記憶している前記無線アクセスポイントの位置と比較して、前記無線アクセスポイントが移動されているか否かを判断する
請求項２から請求項７のうちいずれか１項に記載のマーケティングコンテンツ配信システム。
【請求項９】
情報通信端末に無線通信回線を介して接続可能であり、通信ネットワークおよびインターネット接続業者のサーバを介して前記情報通信端末とインターネットとを接続させる無線アクセスポイントを含むマーケティングコンテンツ配信システムにおけるインターネット接続業者のサーバに搭載されるマーケティングコンテンツ配信プログラムであって、
コンピュータに、
マーケティングを促進するためのコンテンツであるマーケティングコンテンツを記憶させるとともに、無線アクセスポイントの設置場所に関する情報である属性情報と合致するマーケティングコンテンツを、無線アクセスポイントに送信する処理
を実行させることを特徴とするマーケティングコンテンツ配信プログラム。
【発明の詳細な説明】
【０００１】
【発明の属する技術分野】
本発明は、無線ＬＡＮを利用して利用者の情報通信端末に広告等のマーケティングコンテンツを配信するマーケティングコンテンツ配信システム、およびマーケティングコンテンツ配信プログラムに関する。
【０００２】
【従来の技術】
２０００年頃から公衆無線ＬＡＮが注目され、複数の通信事業者が公衆無線ＬＡＮ接続サービス事業に参入している。しかし、公衆無線ＬＡＮ接続サービスの利用者は伸び悩み、各通信事業者は公衆無線ＬＡＮ接続サービスの継続が困難な状況となっている。
【０００３】
従来の公衆無線ＬＡＮサービスでは、公衆無線ＬＡＮの基地局の設置費用や、インターネットへの接続費用等の設備コストを回収するために、公衆無線ＬＡＮ接続サービスを利用する利用者から利用料金が徴収される。しかし、サービスの利用者が少ないサービス導入初期段階では設備コスト等の費用の回収が難しく、通信事業者やアクセスポイント設置者の費用負担が大きい。そのため、公衆無線ＬＡＮ接続サービスの利用者を増加させると同時に、通信事業者の新たな収入源を生み出すシステムの早急な構築が必要とされている。
【０００４】
無線通信の基地局であるアクセスポイントから利用者の端末に広告情報を送信し、利用者がその広告情報に基づいて広告主の店舗を訪れたり物品を購入したりすると、広告主が、所定の料金をアクセスポイントを設置した広告業者に支払う通信システムが提案されている（例えば、特許文献１参照。）。
【０００５】
また、通信事業者が、広告主のＷＷＷサーバに接続する通話料金着信人払いのダイヤルアップアクセスポイントを利用者に提供し、インターネット接続料金と通話料金とを広告主から徴収する装置も提案されている（例えば、特許文献２参照。）。
【０００６】
【特許文献１】
特開２００３−６５０９号公報  （第４−１６頁、第１図）
【特許文献２】
特開２０００−１５１８１１号公報  （第４−６頁、第１図）
【０００７】
【発明が解決しようとする課題】
しかし、公衆無線ＬＡＮ接続サービスの利用者は、無線ＬＡＮを介して種々のＷｅｂサーバからコンテンツを得たいのであって、無線通信を介する広告の利用のみに着目した特許文献１に記載されたシステムを公衆無線ＬＡＮサービスに適用しても、公衆無線ＬＡＮ接続サービスの利用者の増大につながらない。特許文献２に記載されたシステムでは、利用者が不特定多数の広告の中から所望の広告を選んで閲覧する必要がある。よって、広告主の側からみると、広告を見せたい利用者に広告を閲覧させることは保証されず、広告効果はさほど向上しない。
【０００８】
また、広告を見せたい利用者に広告を閲覧させる方法として、狭い範囲内に存在する広告主の広告を配信するエリアマーケティングの手法がある。しかし、エリアマーケティングを実現するための利用者側の端末として、携帯電話機が利用されている。しかし、通信速度の遅い携帯電話機には限られた情報しか送ることができない。また、利用者自身が携帯電話機を操作して通信事業者に位置情報を送信する必要があるため、対象となるユーザが限定されるという問題がある。
【０００９】
そこで、本発明は、無線ＬＡＮをマーケティングサービスのツールとして利用し、公衆無線ＬＡＮのアクセスポイントの地理的特性や、利用者の特性等を生かしたマーケティングサービスを行い、通信事業者と無線ＬＡＮのアクセスポイントの設置者との新たな収入源を生み出すシステムおよびプログラムを提供することを目的とする。
【００１０】
【課題を解決するための手段】
本発明によるマーケティングコンテンツ配信システムは、情報通信端末に無線通信回線を介して接続可能であり、通信ネットワークおよびインターネット接続業者のサーバを介して情報通信端末とインターネットとを接続させる無線アクセスポイントを含むマーケティングコンテンツ配信システムであって、インターネット接続業者のサーバは、マーケティングを促進するためのコンテンツであるマーケティングコンテンツを記憶するとともに、無線アクセスポイントの設置場所に関する情報である属性情報と合致するマーケティングコンテンツを、無線アクセスポイントに送信することを特徴とする。
【００１１】
インターネット接続業者のサーバは、マーケティングコンテンツを記憶するとともに記憶しているマーケティングコンテンツを無線アクセスポイントに送信するコンテンツ管理サーバと、属性情報をコンテンツ管理サーバに送信する認証管理サーバとを含んでもよい。そのような構成によれば、マーケティングコンテンツ配信システムは２台のサーバを備えるため、マーケティングコンテンツの管理を行うコンテンツ管理サーバと、無線アクセスポイントの管理を行う認証管理サーバとで、情報の分散処理を行いそれぞれのサーバの情報処理の負担を軽減させることができる。
【００１２】
コンテンツ管理サーバに、マーケティングコンテンツと、無線アクセスポイントに送信するマーケティングコンテンツを特定する条件である配信条件情報とを送信するコンテンツ提供端末を備えてもよく、認証管理サーバは複数の無線アクセスポイントのそれぞれに対応する属性情報を記憶してもよく、コンテンツ管理サーバは、情報通信端末が無線アクセスポイントに接続されると、その無線アクセスポイントの属性情報を認証管理サーバから受信し、その無線アクセスポイントに、属性情報と合致する配信条件情報のマーケティングコンテンツを送信してもよい。そのような構成によれば、コンテンツ管理サーバは、それぞれの無線アクセスポイントの設置場所に応じたマーケティングコンテンツをそれぞれの無線アクセスポイントに送信することができる。
【００１３】
コンテンツ管理サーバは、所定のタイミングで、マーケティングコンテンツを情報通信端末に送信した回数に基づいてマーケティングコンテンツの提供者に請求する料金であるサービス利用料金の金額を算出し、算出した金額の情報をコンテンツ提供端末に送信してもよい。そのような構成によれば、インターネット接続業者は、マーケティングコンテンツの提供者に、サービス利用料金を請求し、収入を得ることができる。
【００１４】
認証管理サーバは、コンテンツ管理サーバによる無線アクセスポイントへのマーケティングコンテンツの送信が終了すると、情報通信端末がインターネットを介して任意のＷｅｂサーバに接続可能な状態にしてもよい。そのような構成によれば、コンテンツを受信した情報通信端末はインターネットに接続することができるため、インターネット接続業者は、情報通信端末の利用者に事前にインターネット接続事業者と契約を締結させることなくインターネット接続サービスを提供することができる。
【００１５】
マーケティングコンテンツは、情報通信端末の利用者への質問を含んでもよく、情報通信端末は質問への利用者の回答の入力を受け付けて無線アクセスポイントを介してコンテンツ管理サーバに送信してもよく、コンテンツ管理サーバは、情報通信端末から回答を受信して記憶してもよい。そのような構成によれば、マーケティングコンテンツの提供者は、アンケート形式のマーケティングコンテンツを用いて利用者の情報を得るマーケティング活動を行うことができる
【００１６】
コンテンツ管理サーバは、所定のタイミングで、利用者への質問の回答を受信した回数に基づいてサービス利用料金の金額を算出し、算出した金額の情報をコンテンツ提供端末に送信してもよい。そのような構成によれば、インターネット接続業者は、アンケート形式のコンテンツの回答数に応じたサービス利用料を、マーケティングコンテンツの提供者に請求することができる。
【００１７】
通信ネットワークに接続され、予め各無線アクセスポイントの位置を記憶する位置確認サーバを備えてもよく、無線アクセスポイントは、自己の位置を測定して位置情報を生成してもよく、コンテンツ管理サーバは、所定のタイミングで位置情報を読み出し、位置確認サーバが記憶している無線アクセスポイントの位置と比較して、無線アクセスポイントが移動されているか否かを判断してもよい。そのような構成によれば、無線アクセスポイントの設置者が、インターネット事業者に無断で無線アクセスポイントの設置位置を変更することを防ぐことができる。
【００１８】
本発明によるマーケティングコンテンツ配信プログラムは、情報通信端末に無線通信回線を介して接続可能であり、通信ネットワークおよびインターネット接続業者のサーバを介して情報通信端末とインターネットとを接続させる無線アクセスポイントを含むマーケティングコンテンツ配信システムにおけるインターネット接続業者のサーバに搭載されるマーケティングコンテンツ配信プログラムであって、コンピュータに、マーケティングを促進するためのコンテンツであるマーケティングコンテンツを記憶させるとともに、無線アクセスポイントの設置場所に関する情報である属性情報と合致するマーケティングコンテンツを、無線アクセスポイントに送信する処理を実行させることを特徴とする。
【００１９】
【発明の実施の形態】
実施の形態１．
図１は、本発明の第１の実施の形態を説明するための概念図である。この実施の形態のマーケティングコンテンツ配信システムは、情報の入出力を行う利用者端末１０と、所定範囲内にある利用者端末１０と無線通信可能な無線ＬＡＮアクセスポイント２０と、利用者端末１０の形態と無線ＬＡＮアクセスポイント２０とを特定する認証管理サーバ３０と、広告主・代理人４が提供するマーケティングコンテンツ（以下、単に、コンテンツともいう。）を記憶するコンテンツ管理サーバ３１と、コンテンツ管理サーバ３１に情報を送信する広告主端末４０と、無線ＬＡＮアクセスポイント２０と認証管理サーバ３０とコンテンツ管理サーバ３１とを接続する通信ネットワーク１００とを含む。
【００２０】
エンドユーザである利用者１は、利用者端末１０を有し利用者端末１０を操作する。契約利用者２は、無線ＬＡＮアクセスポイント２０を設置し、管理する。インターネット接続事業者３は、通信ネットワーク１００を介して無線ＬＡＮアクセスポイント２０およびインターネット５に接続可能な認証管理サーバ３０とコンテンツ管理サーバ３１とを設置し、管理する。広告主・代理店４は、広告のコンテンツを提供する例えば広告主や広告代理店、企画会社等であって、広告主端末４０を設置し、管理する。契約利用者２は、インターネット接続事業者３とインターネット接続サービス利用契約を締結している。広告主・代理店４は、インターネット接続事業者３とマーケティングサービスの利用契約を締結している。マーケティングサービスとは、マーケティングコンテンツを利用者端末１０に自動配信するサービスである。インターネット接続サービス利用契約と、マーケティングサービス利用契約とについては後述する。
【００２１】
情報通信端末は、利用者端末１０によって実現される。無線アクセスポイントは、無線ＬＡＮアクセスポイント２０によって実現される。コンテンツ提供端末は、広告主端末４０によって実現される。
【００２２】
利用者１は、利用者端末１０を操作する。利用者端末１０は、無線通信機能とインターネット接続機能とを備えた、例えばＰＤＡ端末や、ノート型パーソナルコンピュータ等の情報通信端末である。利用者端末１０は、利用者１が所有する情報通信端末であってもよいし、契約利用者２が所有し利用者１に貸与される情報通信端末であってもよい。利用者端末１０は、利用者１が入力した情報を受け付け、利用者１の操作に基づいて契約利用者２が設置した無線ＬＡＮアクセスポイント２０に無線ＬＡＮ接続する。そして、利用者端末１０は、利用者端末１０の形態を特定する端末識別情報と、利用者１が入力した情報とを無線ＬＡＮアクセスポイント２０に送信する。
【００２３】
端末識別情報は、利用者端末１０の形態を、例えばＰＤＡ端末であるか、ノート型パーソナルコンピュータであるかという程度に特定する情報である。コンテンツ管理サーバ３１が、利用者端末１０の形態をＨＴＴＰ環境変数を用いて特定する。また、無線ＬＡＮアクセスポイント２０から受信した情報を表示部（図示せず）に表示する。コンテンツ管理サーバ３１は、例えば、利用者端末１０が送信するＨＴＴＰ環境変数にもとづいて利用者端末１０に搭載されているブラウザの種類を特定する。そして、特定した種類のブラウザが動作する利用者端末１０の形態を特定する。
【００２４】
契約利用者２は、商業施設や店舗、個人宅等に無線ＬＡＮアクセスポイント２０を設置する。契約利用者２は、インターネット接続事業者３とのインターネット接続サービス利用契約の締結時に、無線ＬＡＮアクセスポイント２０を特定する情報と、設置場所の地理的特性、予想される利用者１の特性等の情報とを含む契約者情報を認証管理サーバ３０に記憶させる。
【００２５】
無線ＬＡＮアクセスポイント２０を特定する情報は、例えば無線ＬＡＮアクセスポイント２０が予め所有しているＭＡＣアドレスや、インターネット接続事業者３からインターネット接続用に付与されるＩＰアドレス、またはインターネット接続事業者３が用意したＩＤ番号等の、英数字を用いたユニークな文字列である。認証管理サーバ３０は、無線ＬＡＮアクセスポイント２０を特定する情報を、契約者情報として記憶する。また、無線ＬＡＮアクセスポイント２０は、無線ＬＡＮアクセスポイント２０を特定する情報を、アクセスポイント識別情報として記憶する。アクセスポイント識別情報は、契約利用者２がパーソナルコンピュータ等の情報通信端末を無線ＬＡＮアクセスポイント２０に接続して入力し、記憶させる。
【００２６】
設置場所の地理的特性や、予想される利用者１の特性等の情報は、例えば周囲に電気店が多い環境に設置される無線ＬＡＮアクセスポイント２０の場合、周囲に電気店が多く、利用者１はＩＴ機器やゲーム機等に関心が高い２０才代から４０才代の男性であることを示す。また、例えば映画館や劇場等があるオフィス街の喫茶店に設置される無線ＬＡＮアクセスポイント２０の場合、周囲に映画館や劇場が多く、利用者１は衣料や外食等に関心が高い２０才代から３０才代の女性であることを示す。この他、インターネット接続事業者３と、契約利用者２とが知見に基づいた情報を契約者情報に付加してもよい。
【００２７】
インターネット接続サービス利用契約について説明する。インターネット接続サービス利用契約は、契約利用者２とインターネット接続事業者３との間で締結される契約である。具体的には、契約利用者２が有する無線ＬＡＮアクセスポイント２０をインターネット接続事業者３の設備を介してインターネット５に接続させる対価として、契約利用者２がインターネット接続事業者３に所定の利用料金を支払う契約である。また、無線ＬＡＮアクセスポイント２０が利用者端末１０にコンテンツを送信したことに応じて、インターネット接続事業者３が契約利用者２に所定の利用料金を支払う。
【００２８】
インターネット接続サービス利用契約の締結を、文書によって行ってもよいが、契約利用者２が所有しているパーソナルコンピュータ等の情報通信端末を用いてインターネット５を介して行うようにしてもよい。文書によってインターネット接続サービス利用契約が締結された場合、インターネット接続事業者３が契約者情報を認証管理サーバ３０に入力する。契約利用者２が所有している情報通信端末によってインターネット接続サービス利用契約が締結された場合、契約利用者２が情報通信端末に入力した契約者情報を認証管理サーバ３０に送信する。認証管理サーバ３０は入力された、あるいは受信した契約者情報を記憶する。
【００２９】
無線ＬＡＮアクセスポイント２０は、利用者端末１０と無線ＬＡＮ通信を行い、情報を送受信する。また、通信ネットワーク１００を介して各通信装置と情報の送受信を行う。無線ＬＡＮアクセスポイント２０は、利用者端末１０と無線ＬＡＮ接続すると、利用者端末１０から受信した情報とアクセスポイント識別情報とを、通信ネットワーク１００を介して認証管理サーバ３０に送信し、認証管理サーバ３０の認証結果に応じて利用者端末１０と通信ネットワーク１００とを接続する。
【００３０】
また、無線ＬＡＮアクセスポイント２０は、無線ＬＡＮアクセスポイント２０の設置位置の情報である位置情報を取得する位置検出機能を備えていてもよく、インターネット接続事業者３は、通信ネットワーク１００に接続され、各無線ＬＡＮアクセスポイント２０の位置情報を記憶する位置確認サーバを有してもよい。
【００３１】
無線ＬＡＮアクセスポイント２０は、無線ＬＡＮアクセスポイント２０の設置位置の緯度と経度とから構成される位置情報を生成する。無線ＬＡＮアクセスポイント２０は、例えばＧＰＳ（Ｇｌｏｂａｌ  Ｐｏｓｉｔｉｏｎｉｎｇ  Ｓｙｓｔｅｍ）を用いて位置情報を取得してもよいし、ＰＨＳ（Ｐｅｒｓｏｎａｌ  Ｈａｎｄｙｐｈｏｎｅ  Ｓｙｓｔｅｍ）事業者が提供している位置情報サービスを用いて位置情報を取得してもよい。位置検出機能を備える場合、無線ＬＡＮアクセスポイント２０は、携帯電話網、あるいはＰＨＳ網に接続される。コンテンツ管理サーバ３１は、例えばインターネット接続サービス契約の締結時やコンテンツ送信開始時、またはコンテンツ送信終了時等の所定のタイミングで、携帯電話網、あるいはＰＨＳ網を介して無線ＬＡＮアクセスポイント２０に接続し、位置検出機能が位置を測定して生成した位置情報を読み込む。
【００３２】
位置確認サーバは、インターネット接続事業者３が予め入力する各無線ＬＡＮアクセスポイント２０の位置の情報を受け付け、記憶する。コンテンツ管理サーバ３１は、無線ＬＡＮアクセスポイント２０の位置情報を読み込むと、位置確認サーバが記憶する位置の情報と比較して、インターネット接続事業者３に無断で無線ＬＡＮアクセスポイント２０の設置位置が移動されているか否かの判断を行う。
【００３３】
無線ＬＡＮアクセスポイント２０の設置位置が移動されているか否かの判断は、無線ＬＡＮアクセスポイント２０の位置検出機能が検出した位置情報と、位置確認サーバが記憶する位置情報とを比較して、例えば１ｋｍ以上の差異があった場合に無線ＬＡＮアクセスポイント２０の設置位置が移動されていると判断する。コンテンツ管理サーバ３１が無線ＬＡＮアクセスポイント２０の設置位置が移動されていると判断した場合、例えばコンテンツ管理サーバ３１が、予め記憶している契約利用者２とインターネット接続事業者３との電子メールアドレスに無線ＬＡＮアクセスポイント２０の設置位置が移動されていると通知してもよいし、コンテンツ管理サーバ３１の表示部（図示せず）に設置位置が移動されていることを示す表示を行う等の方法でインターネット接続事業者３に通知してもよい。
【００３４】
認証管理サーバ３０は、通信ネットワーク１００に接続され、無線ＬＡＮアクセスポイント２０からアクセスポイント識別情報と端末識別情報とを受信すると、アクセスポイント識別情報と予め記憶している契約者情報とを比較して無線ＬＡＮアクセスポイント２０がインターネット接続サービス契約に基づいた正規の無線ＬＡＮアクセスポイント２０であるか否かを判定する。
【００３５】
認証管理サーバ３０は、無線ＬＡＮアクセスポイント２０が正規の無線ＬＡＮアクセスポイント２０であると判定すると、契約者情報と端末識別情報とをコンテンツ管理サーバ３１に送信する。また、利用者端末１０の通信ネットワーク１００を介したインターネット５への接続許可を示す情報である接続許可情報を、無線ＬＡＮアクセスポイント２０に送信する。このとき、接続許可情報に、インターネット５への接続を許可する時間（例えば１時間等）の情報を含めてもよい。また、認証管理サーバ３０は、利用者端末１０を、インターネット５を介して任意のＷｅｂサーバに接続可能な状態にする。
【００３６】
コンテンツ管理サーバ３１は、通信ネットワーク１００に接続可能であり、認証管理サーバ３０から契約者情報と端末識別情報とを受信すると、契約者情報と予め記憶しているマーケティング実施条件情報とを比較する。マーケティング実施条件情報は、広告主・代理店４が提供する各コンテンツについて利用者端末１０に送信を行うか否かを判定する条件であるマーケティング実施条件を示す情報である。
【００３７】
マーケティング実施条件は、例えば実施期間や対象ユーザ特性、地理的特性等によって定められる。例えば、衣料に関心の高い２０才代の女性が多く集まる無線アクセスポイント２０に対してのみコンテンツの送信を行うという条件や、映画館の周辺にある地理的特性の無線アクセスポイント２０に、３月のみコンテンツの送信を行うというような条件である。マーケティングコンテンツは、マーケティング活動に必要なコンテンツ（マーケティングを促進するためのコンテンツ）であり、例えば広告や、アンケート調査のための書式、ゲーム等である。コンテンツ管理サーバ３１は、契約者情報とマーケティング実施条件情報とを比較して、契約者情報と合致するマーケティング実施条件情報のコンテンツを選択する。
【００３８】
そして、コンテンツ管理サーバ３１は、選択したコンテンツを、端末識別情報に基づいて利用者端末１０に対応した形式に変換して無線ＬＡＮアクセスポイント２０に送信する。インターネット接続事業者３が位置確認サーバを備える場合は、マーケティング実施条件に位置の条件を含んでもよく、コンテンツ管理サーバ３１は位置確認サーバが記憶している無線ＬＡＮアクセスポイントの位置の情報を読み込んで、マーケティング実施条件情報と比較してもよい。
【００３９】
また、コンテンツ管理サーバ３１は、コンテンツを送信したアクセスポイントの情報と、コンテンツの送信開始時間と送信終了時間との情報と、利用者端末１０から送信された例えばアンケートの回答等の情報であるマーケティング情報とを関連付けて記憶する。そして、コンテンツ管理サーバ３１は、例えば月末等の所定のタイミングで、コンテンツの送信回数や送信時間およびマーケティング情報の収集数等を集計し、事前にインターネット接続事業者３と広告主・代理店４との間で締結されているマーケティングサービス利用契約に基づいてサービス利用料金を算出し、広告主・代理店４に請求する。
【００４０】
パーソナルコンピュータ等の情報通信端末である広告主端末４０は、広告主・代理店４が入力したマーケティング実施条件とマーケティング活動に必要なコンテンツとをコンテンツ管理サーバ３１に送信する。また、広告主・代理店４は、マーケティングサービス利用契約に基づいてコンテンツ管理サーバ３１が請求するサービス利用料金を支払う。
【００４１】
マーケティングサービス利用契約について説明する。マーケティングサービス利用契約は、インターネット接続事業者３と広告主・代理店４との間で締結される契約である。具体的には、広告主・代理店４が提供したコンテンツが利用者端末１０に送信されたことに応じて、広告主・代理店４がインターネット接続事業者３に所定のサービス利用料を支払う契約である。
【００４２】
コンテンツ管理サーバ３１に搭載されるマーケティングコンテンツ配信プログラムは、コンピュータに、マーケティングコンテンツを記憶させるとともに、無線ＬＡＮアクセスポイント２０の契約者情報と合致するマーケティングコンテンツを、無線ＬＡＮアクセスポイント２０に送信する処理を実行させる。また、コンピュータに、マーケティングコンテンツを記憶させるとともに、契約者情報と合致するマーケティングコンテンツを、無線ＬＡＮアクセスポイント２０に送信する処理を実行させてもよい。さらに、利用者端末１０が無線ＬＡＮアクセスポイント２０に接続されると、その無線ＬＡＮアクセスポイント２０の契約者情報を認証管理サーバ３０から受信し、その無線ＬＡＮアクセスポイント２０に、契約者情報と合致するマーケティング実施条件情報のマーケティングコンテンツを送信する処理を実行させてもよい。
【００４３】
認証管理サーバ３０に搭載されるマーケティングコンテンツ配信プログラムは、コンピュータに、契約者情報をコンテンツ管理サーバに送信させる処理を実行させる。また、複数の無線ＬＡＮアクセスポイント２０のそれぞれに対応する契約者情報を記憶する処理を実行させてもよい。
【００４４】
次に、この実施の形態の動作について説明する。図２はこの実施の形態の動作を説明するタイミングチャートである。
【００４５】
まず、契約利用者２は、インターネット接続事業者３とインターネット接続サービス利用契約を締結し、無線ＬＡＮアクセスポイント２０を設置する。このとき、契約利用者２は、インターネット接続事業者３に所定の利用料金を支払う（ステップＳ１０１）。また、広告主・代理店４は、インターネット接続事業者３とマーケティングサービス利用契約を締結し、広告主端末４０を介してコンテンツ管理サーバ３１にマーケティング実施条件情報と、コンテンツとを送信する（ステップＳ１０２）。
【００４６】
利用者端末１０は、無線ＬＡＮアクセスポイント２０に接続すると、無線ＬＡＮアクセスポイント２０に端末識別情報を送信する（ステップＳ１０３）。無線ＬＡＮアクセスポイント２０は、アクセスポイント識別情報と受信した端末識別情報とを認証管理サーバ３０に送信する（ステップＳ１０４）。
【００４７】
認証管理サーバ３０は、受信したアクセスポイント識別情報と予め記憶している契約者情報とを比較してインターネット接続サービス契約の契約者の無線ＬＡＮアクセスポイント２０であるか否かを判定し、また、どの無線ＬＡＮアクセスポイント２０であるかを特定する（ステップＳ１０５）。無線ＬＡＮアクセスポイント２０を特定すると、認証管理サーバ３０は、端末識別情報と特定した無線ＬＡＮアクセスポイント２０の契約者情報とをコンテンツ管理サーバ３１に送信する（ステップＳ１０６）。
【００４８】
コンテンツ管理サーバ３１は、認証管理サーバ３０から契約者情報と端末識別情報とを受信すると、契約者情報とマーケティング実施条件情報とを比較する（ステップＳ１０７）。そして、コンテンツ管理サーバ３１は、契約者情報と合致するマーケティング実施条件情報のコンテンツを選択し、選択したコンテンツを端末識別情報に基づいて利用者端末１０に対応した形式に変換して無線ＬＡＮアクセスポイント２０を介して利用者端末１０に送信する（ステップＳ１０８）。契約者情報と合致するマーケティング実施条件情報のコンテンツが複数存在していた場合には、全てのコンテンツを順次利用者端末１０に送信してもよいが、あらかじめ決められた順番に基づく１つのコンテンツのみを利用者端末１０に送信してもよい
【００４９】
利用者端末１０は、コンテンツを受信すると表示部に表示したり音声を出力したりする。利用者１は、コンテンツを視聴する（ステップＳ１０９）。コンテンツが例えばアンケート調査（質問等）であった場合は、利用者１は利用者端末１０にアンケート調査の回答であるマーケティング情報を入力し、利用者端末１０は、マーケティング情報をコンテンツ管理サーバ３１に送信する（ステップＳ１１０）。
【００５０】
コンテンツ管理サーバ３１は、コンテンツを送信した無線ＬＡＮアクセスポイント２０の情報と、送信開始時間と送信終了時間との情報と、利用者端末１０から受信したマーケティング情報とを関連付けて記憶する（ステップＳ１１１）。そして、コンテンツ管理サーバ３１は、コンテンツの送信が終了するとコンテンツの送信が終了したことを認証管理サーバ３０に通知する。なお、コンテンツ管理サーバ３１は、アンケート調査の回答であるマーケティング情報を、直ちに広告主端末４０に送信してもよい。
【００５１】
認証管理サーバ３０は、コンテンツ管理サーバ３１からコンテンツの送信が終了したことを通知されると、インターネット接続サービス契約に基づいて、無線ＬＡＮアクセスポイント２０に接続許可情報を送信する（ステップＳ１１２）。認証管理サーバ３０は、端末識別情報に基づいて、利用者端末１０を一時的なインターネット接続サービスの利用者として管理する。すなわち、一時的な利用者としての期間が経過するまで、利用者端末１０が、インターネット５を介して任意のＷｅｂサーバに接続することを許可する。
【００５２】
無線ＬＡＮアクセスポイント２０は、受信した接続許可情報に基づいて利用者端末１０と通信ネットワーク１００とを接続する（ステップＳ１１３）。接続許可情報に、インターネット５に接続を許可する時間を制限する情報が含まれる場合には、利用者１は、期限の時刻まで利用者端末１０を使用して無線ＬＡＮアクセスポイント２０を介してインターネット接続事業者３が提供するインターネット接続サービスを利用することができる（ステップＳ１１４）。
【００５３】
コンテンツ管理サーバ３１は、例えば月末等の所定のタイミングで、記憶したコンテンツの送信回数、送信時間、マーケティング情報収集数等を集計し、マーケティングサービス利用契約に基づいて請求するサービス利用料金を広告主端末４０に通知し、請求する（ステップＳ１１５）。コンテンツ管理サーバ３１は、例えば、各コンテンツ毎に［（送信回数×送信時間）×第１の係数＋マーケティング情報収集数×第２の係数］を算出し、コンテンツを提供した広告主・代理店４の広告主端末４０に、算出結果に応じた金額を、電子メールその他のオンライン通信方法によって通知する。なお、第１の係数および第２の係数は、金額算出のためにあらかじめ決められている係数であり、契約時に明らかにされている。
【００５４】
広告主端末４０がサービス利用料金の通知を受信すると、広告主・代理店４は、通知されたサービス利用料金をインターネット接続事業者３に支払う（ステップＳ１１６）。支払いは、オフラインによる銀行口座振り込みのような方法によってもよいが、広告主端末４０が、サービス利用料金の通知を受信したことに応じて、自動的にオンラインバンキングシステムに接続して、オンラインバンキングシステムを介して振り込みを行ってもよい。その場合には、広告主端末４０には、そのためのプログラムが格納される。また、広告主端末４０が、サービス利用料金の通知を受信したことに応じて、ネットワーク上を流通する電子マネーを、インターネット接続事業者３が管理するサーバに転送するようにしてもよい。
【００５５】
また、インターネット接続業者３は、インターネット接続サービス契約に基づいて、利用料金を契約利用者２に支払う。コンテンツ管理サーバ３１は、例えば、各アクセスポイント毎に［（送信回数×送信時間）×第３の係数＋マーケティング情報収集数×第４の係数］を算出し、算出結果に応じた金額を契約利用者２に支払う。支払いは、オフラインによる銀行口座振り込みのような方法によってもよいが、コンテンツ管理サーバ３１が、自動的にオンラインバンキングシステムに接続して、オンラインバンキングシステムを介して振り込みを行ってもよい。その場合には、コンテンツ管理サーバ３１には、そのためのプログラムが格納される。また、コンテンツ管理サーバ３１が、ネットワーク上を流通する電子マネーを、契約利用者２が保有する端末装置や無線ＬＡＮアクセスポイント２０に無線接続可能な契約利用者管理用端末装置に転送するようにしてもよい。
【００５６】
この実施の形態では、無線ＬＡＮアクセスポイント２０の設置場所（地域、店舗、組織等）の地理的条件や、設置場所の特徴等から、利用者の特性を推定できるため、これまで携帯電話機を用いた形態でのみ実現可能であったエリアマーケティングの新しい手段を企業に提案することができる。
【００５７】
また、コンテンツ送信先がパーソナルコンピュータである場合、携帯電話機やＰＤＡ端末に比べて、より大容量な動画や、インタラクティブなコンテンツ等を送信することができる。また、携帯電話機を用いた場合のように、利用者に通信料を負担させることなく、コンテンツを送信することができる。
【００５８】
さらに、利用者１は、広告の視聴やアンケート調査への協力等を行うことで、事前にインターネット接続事業者３と契約することなく、無料でインターネット接続サービスを利用することができる。
【００５９】
また、無線ＬＡＮアクセスポイント２０が、位置検出機能を備え、インターネット接続事業者３が、位置確認サーバを有した場合には、緯度と経度とで特定するエリア内の無線ＬＡＮアクセスポイント２０へのコンテンツの送信をマーケティング実施条件とすることができる。そのような場合、例えば、３０分後に行われるイベントの告知を、イベント会場から半径数ｋｍのエリア内の無線ＬＡＮアクセスポイント２０に送信することができる。また、例えば、ある地域に出店予定の事業者が、出店予定地の商圏内の無線ＬＡＮアクセスポイント２０にアンケート調査のコンテンツを送信することができる。
【００６０】
実施の形態２．
図３は、第２の実施の形態を説明するための概念図である。この実施の形態は、契約利用者２がモニタ２１を備え、インターネット接続事業者３が無線ＬＡＮアクセスポイント２０を介してモニタ２１にコンテンツを送信する点が、第１の実施の形態と異なる。そして、利用者１は、モニタ２１を介して広告等のコンテンツを視聴する。ここで、第１の実施の形態と同様のサーバ等については図１と同じ符号を付し、説明を省略する。
【００６１】
モニタ２１は、無線ＬＡＮ通信機能を備え、無線ＬＡＮアクセスポイント２０を経由して通信ネットワーク１００に接続している。また、モニタ２１は、無線ＬＡＮアクセスポイント２０を介してコンテンツ管理サーバ３１から受信したコンテンツを表示したり、操作したりする機能を備える。契約利用者２は、モニタ２１を所有してもよいし、インターネット接続事業者３が所有するモニタ２１を、借り受けてもよい。契約利用者２は、モニタ２１を無線ＬＡＮアクセスポイント２０の電波が届く範囲に設置する。モニタ２１の設置場所は、例えば室内等の屋内、あるいは外壁等の屋外である。
【００６２】
次に、この実施の形態の動作について説明する。図４はこの実施の形態の動作を説明するタイミングチャートである。
【００６３】
まず、契約利用者２は、インターネット接続事業者３とインターネット接続サービスの利用契約を締結し、無線ＬＡＮアクセスポイント２０を設置する。このとき、契約利用者２は、インターネット接続事業者３に所定の利用料金を支払う（ステップＳ２０１）。また、契約利用者２がモニタ２１を所有していない場合、インターネット接続事業者３が所有するモニタ２１を、契約利用者２に貸与してもよい（ステップＳ２０２）。
【００６４】
広告主・代理店４は、インターネット接続事業者３とマーケティングサービス利用契約を締結し、広告主端末４０を介してコンテンツ管理サーバ３１にマーケティング実施条件情報と、コンテンツとを送信する（ステップＳ２０３）。モニタ２１は、無線ＬＡＮアクセスポイント２０に端末識別情報を送信する（ステップＳ２０４）。無線ＬＡＮアクセスポイント２０は、アクセスポイント識別情報と受信した端末識別情報とを認証管理サーバ３０に送信する（ステップＳ２０５）。
【００６５】
認証管理サーバ３０は、受信したアクセスポイント識別情報と予め記憶している契約者情報とを比較してインターネット接続サービス契約の契約者の無線ＬＡＮアクセスポイント２０であるか否かを判定し、また、どの無線ＬＡＮアクセスポイント２０であるかを特定する（ステップＳ２０６）。無線ＬＡＮアクセスポイント２０を特定すると、認証管理サーバ３０は、契約者情報と端末識別情報とをコンテンツ管理サーバ３１に送信する（ステップＳ２０７）。
【００６６】
コンテンツ管理サーバ３１は、認証管理サーバ３０から契約者情報と端末識別情報とを受信すると、契約者情報とマーケティング実施条件情報とを比較する（ステップＳ２０８）。そして、コンテンツ管理サーバ３１は、契約者情報と合致するマーケティング実施条件情報のコンテンツを選択し、選択したコンテンツを端末識別情報に基づいてモニタ２１に対応した形式に変換して無線ＬＡＮアクセスポイント２０を介してモニタ２１に送信する（ステップＳ２０９）。
【００６７】
モニタ２１は、コンテンツを受信すると、表示部（図示せず。）にコンテンツを表示する、あるいは音声を出力する（ステップＳ２１０）。周囲の利用者１は、モニタ２１が表示するコンテンツを視聴する。コンテンツ管理サーバ３１は、コンテンツを送信した無線ＬＡＮアクセスポイント２０と、コンテンツの送信を開始した時刻とを記憶する（ステップＳ２１１）。
【００６８】
モニタ２１は、コンテンツの送信が終了すると無線ＬＡＮアクセスポイント２０との接続を切断する（ステップＳ２１２）。コンテンツ管理サーバ３１は、コンテンツを送信した無線ＬＡＮアクセスポイント２０と、コンテンツの送信を終了した時刻とを記憶する（ステップＳ２１３）。コンテンツ管理サーバ３１は、例えば月末等の所定のタイミングで、コンテンツの送信回数、送信時間等を集計し、マーケティングサービス利用契約に基づいてサービス利用料を広告主端末４０に通知し、請求する（ステップＳ２１４）。
【００６９】
広告主端末４０がサービス利用料金の通知を受信すると、広告主・代理店４は、通知されたサービス利用料金をインターネット接続事業者３に支払う（ステップＳ２１５）。インターネット接続業者３は、インターネット接続サービス契約に基づいて、利用料金金を契約利用者２に支払う。
【００７０】
以上述べたように、契約利用者２は、店舗内等に無線ＬＡＮアクセスポイント２０とコンテンツ表示用のモニタ２１とを設置することにより、無線ＬＡＮを介するインターネット５の利用者の有無に関わらず、広告主・代理店４から収入を得ることができる。
【００７１】
なお、図３には示されていないが、無線ＬＡＮアクセスポイント２０は、第１の実施の形態の場合と同様に、利用者端末１０と無線通信によって接続可能であり、インターネット接続業者３のサーバおよび通信ネットワーク１００を介して、利用者端末１０をインターネット５に接続させる。また、この実施の形態では、モニタ２１にコンテンツを表示した回数および時間に応じて、無線ＬＡＮアクセスポイント２０を介して利用者端末１０が任意のＷｅｂサーバにアクセスできる時間を割り当てることができる。
【００７２】
【発明の効果】
以上のように本発明によれば、インターネット接続業者のサーバは、無線アクセスポイントの設置場所に関する情報である属性情報に応じたマーケティングコンテンツを無線アクセスポイントに送信することができるため、インターネット接続業者は、無線アクセスポイントの地理的特性や、利用者の特性等を生かしたマーケティングサービスを行うことができる効果がある。
【図面の簡単な説明】
【図１】本発明の第１の実施の形態を説明する概念図である。
【図２】本発明の第１の実施の形態の動作を説明するタイミングチャートである。
【図３】本発明の第２の実施の形態を説明する概念図である。
【図４】本発明の第２の実施の形態の動作を説明するタイミングチャートである。
【符号の説明】
１  利用者
２  契約利用者
３  インターネット接続事業者
４  広告主・代理店
５  インターネット
１０  利用者端末
２０  無線ＬＡＮアクセスポイント
２１  モニタ
３０  認証管理サーバ
３１  コンテンツ管理サーバ
４０  広告主端末
１００  通信ネットワーク
【図１】
2004280652.tif 000003
【図２】
2004280652.tif 000004
【図３】
2004280652.tif 000005
【図４】
2004280652.tif 000006